(57)【要約】【課題】明るさが一部分から他の部分へと徐々に変化するように光る照明器具を提供する。【解決手段】照明器具１Ｘは、器具本体１と、面状光源２と、反射部材５とを備える。器具本体１は、底板１０と、底板１０の周囲に位置する複数の側板１１とを有して矩形に形成される。底板１０と対向する位置に開放面１５を有している。面状光源２は、複数の側板１１のうちの一つの側板１１５に沿うように器具本体１の内側に配置される。反射部材５は、底板１０と開放面１５との間に配置される。開放面１５と対向する面が面状光源２から出射される光を開放面１５に向けて反射する反射面５０１として構成される。反射面５０１は、面状光源２から離れるに連れて開放面１５に近づくように傾斜している。【選択図】図１
2020077598.tif 000002
【特許請求の範囲】
【請求項１】
器具本体と、面状光源と、反射部材とを備え、
前記器具本体は、底板と、前記底板の周囲に位置する複数の側板とを有して箱形に形成され、前記底板と対向する位置に開放面を有しており、
前記面状光源は、前記複数の側板のうちの一つの側板に沿うように前記器具本体の内側に配置され、
前記反射部材は、前記底板と前記開放面との間に配置され、前記開放面と対向する面が前記面状光源から出射される光を前記開放面に向けて反射する反射面として構成され、
前記反射面は、前記面状光源から離れるに連れて前記開放面に近づくように傾斜している、
照明器具。
【請求項２】
前記反射部材の前記面状光源と反対側の端部は、前記開放面から前記器具本体の外側に突出している、
請求項１に記載の照明器具。
【請求項３】
前記反射面が平坦である、
請求項１又は２に記載の照明器具。
【請求項４】
前記反射面が光を拡散する光拡散面である、
請求項１〜３のいずれか１項に記載の照明器具。
【請求項５】
前記面状光源が、発光ダイオードと導光板とを備えている、
請求項１〜４のいずれか１項に記載の照明器具。
【請求項６】
前記器具本体が、システム天井を構成するＴバーに載せ掛けるフランジを有する、
請求項１〜５のいずれか１項に記載の照明器具。
【請求項７】
前記反射部材の前記面状光源と反対側の端部は、前記フランジを前記Ｔバーに載せ掛けた状態で、前記Ｔバーの下端よりも下方に突出するように構成されている、
請求項６に記載の照明器具。
【請求項８】
前記器具本体は遮光部を有し、
前記遮光部は、前記面状光源の前記開放面の方に向く端面と対向している、
請求項１〜７のいずれか１項に記載の照明器具。
【請求項９】
前記面状光源の前記開放面の方に向く端面は、前記開放面よりも前記器具本体の内側にある、
請求項１〜８のいずれか１項に記載の照明器具。
【請求項１０】
前記面状光源の前記側板に沿う方向の端面と、前記端面と対向する前記側板との間に隙間を有している、
請求項１〜９のいずれか１項に記載の照明器具。
【発明の詳細な説明】
【技術分野】
【０００１】
本開示は、照明器具に関し、より詳細には、面状光源を備えた照明器具に関する。
【背景技術】
【０００２】
特許文献１には、複数の導光板と、複数の光源と、器具本体と、反射部材とを備えた照明器具（照明装置）が記載されている。器具本体は４つの側板を有して矩形の箱形に形成されている。各導光板は各側板の各々に沿うように器具本体の内側に配置されている。各光源は各導光板の端面と対向し、各端面から導光板内に光を入射するように構成されている。反射部材は、器具本体の底板と前面との間に配置され、前記前面との対向面で各導光板から出射される光を前記前面に向けて反射するように構成されている。
【０００３】
上記の照明器具では、反射部材の周囲４方に導光板が配置されているため、各導光板から出射された光が反射部材の対向面の全体で反射されやすくなる。したがって、反射部材の対向面の全体が均一に光って見えやすい。
【先行技術文献】
【特許文献】
【０００４】
【特許文献１】特開２０１７−１５７４８３号公報
【発明の概要】
【発明が解決しようとする課題】
【０００５】
しかし、照明器具の使用場所などによっては、反射部材の対向面の全体が均一に光らない照明器具が望まれている。例えば、使用場所の意匠性の向上などの目的で、グラデーションのように、反射部材の対向面の一部分から他の部分へと明るさが徐々に変化するように光る照明器具が望まれている。
【０００６】
本開示は、上記事由に鑑みてなされており、明るさが一部分から他の部分へと徐々に変化するように光る照明器具を提供することを目的とする。
【課題を解決するための手段】
【０００７】
本開示の一態様に係る照明器具は、器具本体と、面状光源と、反射部材とを備える。前記器具本体は、底板と、前記底板の周囲に位置する複数の側板とを有して箱形に形成される。前記底板と対向する位置に開放面を有している。前記面状光源は、前記複数の側板のうちの一つの側板に沿うように前記器具本体の内側に配置される。前記反射部材は、前記底板と前記開放面との間に配置される。前記開放面と対向する面が前記面状光源から出射される光を前記開放面に向けて反射する反射面として構成される。前記反射面は、前記面状光源から離れるに連れて前記開放面に近づくように傾斜している。
【発明の効果】
【０００８】
本開示によれば、明るさが一部分から他の部分へと徐々に変化するように光る照明器具を提供することができる。
【図面の簡単な説明】
【０００９】
【図１】図１は、本実施形態に係る照明器具を示す一部が破断した側面図である。
【図２】図２は、本実施形態に係る照明器具を示す斜視図である。
【図３】図３は、本実施形態に係る照明器具を示す一部の断面図である。
【図４】図４は、本実施形態に係る照明器具を示す一部の断面図である。
【図５】図５は、本実施形態に係る照明器具を示す一部の拡大断面図である。
【図６】図６は、本実施形態に係る照明器具を示す一部の底面図である。
【図７】図７は、本実施形態に係る照明器具の使用状態を示す斜視図である。
【図８】図８は、本実施形態に係る照明器具の変形例を示す一部の拡大断面図である。
【図９】図９Ａは、本実施形態に係る照明器具の他の変形例を示す一部が破断した側面図である。図９Ｂは、本実施形態に係る照明器具のさらに他の変形例を示す一部が破断した側面図である。
【発明を実施するための形態】
【００１０】
以下、本開示の実施形態に係る照明器具について、図面を参照して詳細に説明する。以下の実施形態に係る照明器具は、システム天井に取り付けられて天井に配置されるシステム天井用の照明器具である。ただし、実施形態に係る照明器具は、システム天井用の照明器具に限定されず、例えば、天井に設けられる埋込孔に埋め込まれるようにして天井に配置される、埋込型の照明器具、又は天井に直付けされる直付け型の照明器具、あるいは、壁に取り付けられる照明器具などであってもよい。また、以下の実施形態で説明する構成は本開示の一例にすぎない。本開示は、以下の実施形態に限定されず、本開示に係る技術的思想を逸脱しない範囲であれば、設計等に応じて種々の変更が可能である。
【００１１】
（実施形態）
本実施形態に係る照明器具１Ｘは、図１〜図６に示すように、器具本体１と、面状光源２と、反射部材５とを備えている。なお、本実施形態では、図中の矢印により上方向、下方向、前方向、後方向、右方向、左方向をそれぞれ示す。
【００１２】
（器具本体）
器具本体１は、図１及び図２に示すように、底板１０と、４つの側板１１とで四辺形の箱形に形成される。底板１０は、鋼板などの金属板によって矩形（例えば、正方形）に形成されている。４つの側板１１は、底板１０の周囲に位置している。すなわち、底板１０の４つの辺に対して各側板１１が位置している。各側板１１は底板１０から下方向に突出している。
【００１３】
４つの側板１１はそれぞれ、主部１１０と、連結部１１１と、フランジ１１２とを有している（図３参照）。主部１１０は、長尺の矩形板状に形成されている。連結部１１１は、長尺の矩形板状であって、下端部分が斜めに曲げ起こされてＬ字状に形成されている（図３参照）。連結部１１１の下端と主部１１０の上端とが連結されている。フランジ１１２は、長尺の矩形板状に形成されている。フランジ１１２は、主部１１０の下端よりもやや上側において外向き（主部１１０から離れる向き）に突出している。なお、主部１１０、連結部１１１及びフランジ１１２は、鋼板などの金属板が曲げ加工されることで一体に形成されることが好ましい。また、底板１０と４つの側板１１のうちの少なくとも１つの側板１１とは、鋼板などの金属板が曲げ加工されることで一体に形成されることが好ましい。ただし、底板１０と別体に形成される側板１１は、溶接などの適宜の方法で底板１０及び他の側板１１と連結（接合）されることが好ましい。
【００１４】
器具本体１は下面が開口する箱形に形成されている。すなわち、器具本体１の底板１０と対向する位置は開放面１５として形成されており、器具本体１の内側の空間（側板１１で囲まれる空間）が開放面１５により下方に向いて開放されている。開放面１５は側板１１の下端１１３と同じ高さ位置に形成されている。
【００１５】
（面状光源）
面状光源２は、ＬＥＤ（Light Emitting Diode）３００と導光板４とを有している。面状光源２は複数のＬＥＤ３００を備える光源ユニット３に導光板４を取り付けて形成される。
【００１６】
光源ユニット３は、ＬＥＤモジュール３０、第１支持部材３１、第２支持部材３２、弾性シート３５、複数本の固定ピン（連結具）３６、複数本の結合ねじ３７及び複数本の固定ねじ３８などを有している。
【００１７】
ＬＥＤモジュール３０は、光源である複数個のＬＥＤ３００、これら複数個のＬＥＤ３００が実装されている基板３０１、２つのコネクタなどを有している（図３参照）。基板３０１は、長尺の矩形板状に形成されている。複数個のＬＥＤ３００は、基板３０１の下面における短手方向（前後方向）の前端側に、長手方向（左右方向）に沿ってほぼ等間隔かつ直線上に並ぶように実装されている。また、２つのコネクタが、基板３０１の下面における長手方向の両端（右端及び左端）近くにそれぞれ実装されている。これら２つのコネクタは、基板３０１の下面に形成されている導体（プリント配線）を介して、複数個のＬＥＤ３００と電気的に接続されている。基板３０１は、短手方向の第２端側（後端側）における長手方向の両端近く及び中央に、３つのねじ挿通孔３０３が設けられている。
【００１８】
第１支持部材３１は、天板３１０と、第１結合片３１１と、第１支持片３１２と、第１連結片３１３とを有することが好ましい。天板３１０は、長尺の平板状に形成されている。天板３１０の長手方向（左右方向）の両端（右端及び左端）及び中央に、それぞれ３つの第１ねじ孔３１６及び３つのボルト挿通孔が設けられている。第１結合片３１１は、長尺の矩形板状に形成されている。第１結合片３１１の長手方向（左右方向）の両端（右端及び左端）及び中央に、それぞれ３つの雌ねじ部３１４が設けられている。第１結合片３１１は、天板３１０の長手方向に沿った第１端から下向きに突出している。第１支持片３１２は、長尺の矩形板状に形成されている。第１支持片３１２の長手方向（左右方向）の両端（右端及び左端）及び中央に、それぞれ３つの第１ピン挿通孔３１５が設けられている。これら３つの第１ピン挿通孔３１５は長孔状に形成されている。ただし、第１支持片３１２の長手方向の両端に設けられている２つの第１ピン挿通孔３１５は、第１支持片３１２の長手方向に対して長軸の方向が平行となっている。一方、第１支持片３１２の長手方向の中央に設けられている１つの第１ピン挿通孔３１５は、第１支持片３１２の短手方向（上下方向）に対して長軸の方向が平行となっている。第１連結片３１３は、長尺の矩形板状であって、第１連結片３１３の上端に天板３１０の長手方向に沿った第２端が連結され、第１連結片３１３の下端に第１支持片３１２の上端が連結されている。第１連結片３１３は、天板３１０の前端から後方に向かって傾斜して形成されている。なお、天板３１０、第１結合片３１１、第１支持片３１２及び第１連結片３１３は、金属板が加工されることで一体に形成されることが好ましい。
【００１９】
第２支持部材３２は、底壁３２０と、第２結合片３２１と、第２支持片３２２と、補強片３２３とを有することが好ましい。底壁３２０は、長尺の平板状に形成されている。第２結合片３２１は、長尺の矩形板状に形成されている。なお、底壁３２０は、３つの窓孔３２６が底壁３２０の長手方向（左右方向）に沿って直線上に並ぶように設けられている。これら３つの窓孔３２６はそれぞれ、底壁３２０を厚み方向（上下方向）に貫通して矩形に形成されている。第２結合片３２１の長手方向（左右方向）の両端（右端及び左端）及び中央に、それぞれ３つのねじ挿通孔３２４が設けられている。第２結合片３２１は、底壁３２０の長手方向に沿った第１端（後端）から上向きに突出している。第２支持片３２２は、長尺の矩形板状に形成されている。第２支持片３２２の長手方向（左右方向）の両端（右端及び左端）及び中央に、それぞれ３つの第２ピン挿通孔３２５が設けられている。これら３つの第２ピン挿通孔３２５は長孔状に形成されている。ただし、第２支持片３２２の長手方向の両端に設けられている２つの第２ピン挿通孔３２５は、第２支持片３２２の長手方向に対して長軸の方向が平行となっている。一方、第２支持片３２２の長手方向の中央に設けられている１つの第２ピン挿通孔３２５は、第２支持片３２２の短手方向（上下方向）に対して長軸の方向が平行となっている。補強片３２３は、長尺の矩形板状に形成されている。補強片３２３は、第２支持片３２２の上端から底壁３２０に平行となって突出している。
【００２０】
弾性シート３５は、例えば、シリコーンゴムなどの弾性を有する材料によって、長尺の矩形板状に形成されている。
【００２１】
固定ピン３６は、円柱状のピン本体３６０と、ピン本体３６０の軸方向（長手方向であって、前後方向）の中央に設けられる円板状のフランジ部３６１とを有することが好ましい（図３参照）。ただし、ピン本体３６０の直径は、第１支持部材３１の第１ピン挿通孔３１５、第２支持部材３２の第２ピン挿通孔３２５のそれぞれの短軸の径よりも僅かに小さい。なお、以下の説明では、フランジ部３６１の表面側に突出するピン本体３６０を第１ピン本体と呼び、フランジ部３６１の裏面側に突出するピン本体３６０を第２ピン本体と呼ぶ場合がある。
【００２２】
導光板４は、図３に示すように、アクリル樹脂やポリカーボネート樹脂などの透光性を有する合成樹脂材料によって、長尺の矩形板状に形成されることが好ましい。導光板４は、上部の長手方向（左右方向）の中央と両端（右端及び左端）近くの３箇所に円形の挿通孔４０がそれぞれ設けられている。これら３つの挿通孔４０は、導光板４を厚み方向（前後方向）に貫通している。なお、導光板４は、厚み方向に対向する両面（第１表面（後面）及び第２表面（前面））のうち、少なくとも反射部材５と対向する側の表面（第１表面）に細かな凹凸が形成されることが好ましい。また、導光板４の下端面４１は、第２支持部材３２に近付く向きに傾斜する傾斜面であることが好ましい（図３参照）。すなわち、下端面４１は、導光板４の前面から後面に向かって上向き傾斜することが好ましい。
【００２３】
面状光源２は、以下のような手順で組み立てられることが好ましい。まず、第１支持部材３１の天板３１０の下面にＬＥＤモジュール３０が重ねられる。そして、ＬＥＤモジュール３０の基板３０１の３つのねじ挿通孔３０３のそれぞれに固定ねじ３８が挿通される。これら３本の固定ねじ３８が、第１支持部材３１の天板３１０の３つの第１ねじ孔３１６にねじ込まれる。その結果、ＬＥＤモジュール３０が第１支持部材３１の天板３１０に固定される（図３参照）。
【００２４】
続いて、３本の固定ピン３６のピン本体３６０（第１ピン本体）が、導光板４の３つの挿通孔４０、第１支持部材３１の３つの第１ピン挿通孔３１５に、それぞれ順番に挿通される。そして、３本の固定ピン３６のピン本体３６０（第２ピン本体）が、第２支持部材３２の第２ピン挿通孔３２５に挿通される（図３参照）。さらに、第２支持部材３２の第２結合片３２１が第１支持部材３１の第１結合片３１１と重ねられ、第２結合片３２１のねじ挿通孔３２４に挿通される結合ねじ３７が、第１結合片３１１の雌ねじ部３１４にねじ込まれる。その結果、第１支持部材３１の第１結合片３１１と第２支持部材３２の第２結合片３２１とが３本の結合ねじ３７で結合される。さらに、第１支持部材３１の第１支持片３１２と第２支持部材３２の第２支持片３２２とが、導光板４を挟んで３本の固定ピン３６で連結される。その結果、導光板４は、３本の固定ピン３６を介して、第１支持部材３１の第１支持片３１２と第２支持部材３２の第２支持片３２２に厚み方向（前後方向）から挟まれて支持される（図３参照）。ここで、導光板４の上面は、第１支持部材３１の天板３１０に取り付けられているＬＥＤモジュール３０の複数個のＬＥＤ３００のそれぞれと上下方向に対向している（図３参照）。また弾性シート３５が固定ピン３６の下側において第２支持片３２２と導光板４の後面との間に挟み込まれる（図２参照）。
【００２５】
上述のようにして組み立てられた面状光源２は、以下のような手順で器具本体１に取り付けられる。まず、第１支持部材３１の天板３１０が、器具本体１の底板１０の下面における１つの周縁部分に重ねられる。そして、第２支持部材３２の底壁３２０の３つの窓孔３２６を通して、３本のねじ１３１が、第１支持部材３１の天板３１０に設けられている３つの挿通孔にそれぞれ挿通される。そして、底板１０の上面側に突出した３本のねじ１３１が器具本体１の底板１０に設けられている３つの雌ねじ孔１０１にそれぞれ締め付けられる（図３参照）。その結果、面状光源２が器具本体１（の底板１０）の周縁部分に取り付けられる。
【００２６】
面状光源２は一つの器具本体１に対して１つだけ設けられる。すなわち、一つの照明器具１Ｘは一つの器具本体１と一つの面状光源２とを備える。したがって、面状光源２は４つの側板１１のうちの一つの側板１１にのみ沿うようにして器具本体１の内側に配置される。上記では、前側の側板１１５の内面に沿うように面状光源２を配置しているが、これに限らず、後側の側板１１６に沿うように面状光源２を配置してもよく、あるいは右側の側板１１７又は左側の側板１１８に沿うように面状光源２を配置してもよい。
【００２７】
面状光源２の開放面１５の方に向く端面は、開放面１５よりも器具本体１の内側にあることが好ましい。すなわち、面状光源２の導光板４の下端面４１は開放面１５よりも器具本体１の内側にあることが好ましい（図５参照）。言い換えれば、導光板４の下端面４１は開放面１５よりも高い位置にある。これにより、導光板４が沿っている前側の側板１１５の下端１１９が導光板４の外側において、導光板４の下端面４１よりも下側に位置している。したがって、導光板４の下端面４１から出射される光が、前側の側板１１５の下部で遮られやすくなり、導光板４の下端面４１から出射される光が、前側の側板１１５よりも前側に漏れ出にくくなる。
【００２８】
面状光源２の側板１１に沿う方向の端面と、この端面と対向する側板１１との間に隙間を有していることが好ましい。すなわち、面状光源２の導光板４は前側の側板１１５の内面に沿って左右方向に長く配置されているが、導光板４の長手方向（左右方向）のうちの一方の端面４２は、この端面４２と対向する側板１１との間で隙間１２０を有している（図６参照）。また導光板４の長手方向（左右方向）のうちの他方の端面４３は、この端面４３と対向する側板１１との間で隙間１２１を有している（図６参照）。ここで、一方の端面４２は導光板４の右側の端面４２とすることができ、この場合、右側の端面４２と右側の側板１１７の内面との間に隙間１２０が形成される。また他方の端面４３は導光板４の左側の端面４３とすることができ、この場合、左側の端面４３と左側の側板１１８の内面との間に隙間１２１が形成される。これにより、右側の端面４２及び左側の端面４３から出射される光が、隙間１２０及び１２１から視認しやすくなって、光のグラデーションを認識しやすくなる。
【００２９】
（反射部材）
反射部材５は、反射部５０、前端部５１、後端部５２、右側部５３、左側部５４、前引掛け部５５、後引掛け部５６及び取付ばね５７などを有することが好ましい（図１〜図４参照）。反射部５０は、鋼板などの金属板によって、器具本体１の底板１０に相似した形状（正方形）に形成されている。ただし、反射部５０の前後方向及び左右方向の長さは、器具本体１の内側の前後方向及び左右方向の長さよりも僅かに（例えば、十数ミリメートル〜数十ミリメートルほど）短い。前端部５１、後端部５２、右側部５３及び左側部５４は、鋼板などの金属板によって形成され、反射部５０と一体に形成されていることが好ましい。前端部５１は反射部５０の前端から上向きに曲げ起こされて形成されている（図３参照）。後端部５２は反射部５０の後端から上向きに曲げ起こされて形成されている（図４参照）。右側部５３は反射部５０の右端から上向きに曲げ起こされて形成されている。左側部５４は反射部５０の左端から上向きに曲げ起こされて形成されている。
【００３０】
反射部５０の下面は光を反射する反射面５０１として形成されている。反射面５０１で反射する光は面状光源２の導光板４から出射される光である。反射面５０１は平坦であることが好ましい。すなわち、反射面５０１は大きな凹凸を有さず、フラットな面に形成されていることが好ましい。これにより、反射面５０１で反射された光が乱反射しにくくなって、開放面１５の方に反射光を出射しやすくなる。また反射面５０１は光拡散面であることが好ましい。すなわち、反射面５０１は入射した光が拡散して反射する面に形成されていることが好ましい。反射面５０１は、例えば、微細な凹凸を有して光拡散面に形成することができる。このような微細な凹凸を有する面は、例えば、骨材を有する塗膜で反射面５０１を形成したり、縮み塗料により皺を有する塗膜で反射面５０１を形成したりすることができる。反射面５０１が光拡散面であると、反射光が広がりやすく、反射面５０１が明るく見えやすくなる。
【００３１】
前端部５１は、反射部５０の前端から上方に向かって突出する前側片５１１と、前側片５１１の上端から後方に向かって突出する前連結片５１２とを有している。前側片５１１の上下方向の中央部の少し下には段部５１３が形成されている。この段部５１３と前連結片５１２との間に前引掛け部５５が設けられている。
【００３２】
前引掛け部５５は反射部５０とは別の部材で形成されており、反射部５０の上方で前片５１１の後方に配置されている。前引掛け部５５は前部の取付部５５１と後部の引掛け端部５５２とを有している。取付部５５１の前側上面には前連結片５１２が配置されており、前引掛け部５５と前連結片５１２とがねじ等の固定具５８１で結合されている。これにより、反射部５０と前引掛け部５５とが一体化される。引掛け端部５５２は前連結片５１２よりも後方に突出している。
【００３３】
後端部５２は反射部５０の後端から上方に向かって突出する後側片５２１と、後側片５２１の上端から前方に向かって突出する後連結片５２２とを有している。この後連結片５２２に沿って左右方向に長い後引掛け部５６が設けられている。後引掛け部５６の後部上面には後連結片５２２が配置されており、ねじ等の固定具５８２により後引掛け部５６と後連結片５２２とを結合している。これにより、反射部５０と後引掛け部５６とが一体化される。後引掛け部５６の前部は後連結片５２２よりも前側に位置しており、後引掛け部５６の前部の上面に取付ばね５７が設けられている。取付ばね５７は、ねじりコイルばねのような形状を有している。
【００３４】
右側部５３及び左側部５４は、反射部５０の側部前端のやや後側から反射部５０の側部後端に至るまで形成されている。右側部５３及び左側部５４は前から後に向かうほど上下方向の寸法が大きくなるように形成されている。すなわち、右側部５３及び左側部５４の上端の位置は、前後方向の全長にわたって、前連結片５１２及び後連結片５２２と同じ位置にある。右側部５３及び左側部５４の下端の位置は後に向かうにしたがって徐々に下方に位置するようになっている。
【００３５】
反射部材５は、ほぼ全体が器具本体１の内側に収容されて配置される。反射部材５は器具本体１の内側に取り付けられて保持される。この場合、反射部材５の前部においては、前引掛け部５５の引掛け端部５５２が器具本体１の内側に設けられた引掛けばね１３０に引っ掛けられる。引掛けばね１３０は光源ユニット３の後方において、器具本体１の底板１０から吊り下げられている。また反射部材５の後部においては、後引掛け部５６に設けた取付ばね５７を底板１０に設けた引掛け孔（図示省略）に下から差し込み、底板１０の上面において引掛け孔の周縁に引っ掛けられる。
【００３６】
器具本体１に取り付けられた反射部材５は、底板１０と開放面１５との間に配置される（図１参照）。また開放面１５と対向する面が反射面５０１として構成される。すなわち、反射部材５は、反射面５０１が下方に向いた状態で器具本体１の内側に取り付けられる。また反射部材５の前部は、光源ユニット３の下方において、導光板４の後方に配置される。すなわち、反射部材５の反射部５０の前側片５１１と導光板４とは隙間を介して対向している。また反射部材５は反射面５０１が面状光源２から離れるに連れて開放面１５に近づくように傾斜している（図１参照）。すなわち、反射面５０１は前端から後端に向かって徐々に下り傾斜するように形成されている。
【００３７】
（照明器具の動作）
照明器具１Ｘは、電源ユニット（図示省略）から光源ユニット３に給電することによって複数個のＬＥＤ３００をそれぞれ点灯する。各ＬＥＤ３００から放射される光は、導光板４の入射面（上面）から導光板４内に入射し、導光板４内を導光されながら導光板４の後面（内側面）及び下端面４１から出射する。このとき、導光板４から出射する光は、導光板４の表面に形成されている細かな凹凸によって拡散されることが好ましい。導光板４から出射され、かつ、拡散された光の一部は、器具本体１内の後方に向かって進行する。そして、器具本体１内の後方に向かって進行した光は、器具本体１内に配置されている反射部材５の反射面５０１に入射した後に反射され、反射部５０の下方に照射される。つまり、照明器具１Ｘは、反射部材５の反射面５０１で反射される光を下方に向けて反射し、開放面１５から出射するように構成されている。
【００３８】
ここで、面状光源２は反射部材５の４つの周端のうちの一端側（前端側）にしか設けられていない。すなわち、反射面５０１には前方にある導光板４から光が入射されやすくなる。また反射面５０１は、面状光源２の導光板４から離れるに連れて（前端から後端へ向かう方向において）開放面１５に近づくように傾斜している。すなわち、反射面５０１と開放面１５との間隔が導光板４から離れるに連れて徐々に狭くなるように構成されている。したがって、反射面５０１には前後方向において導光板４から離れる位置になるほど、導光板４から出射された光が入射されにくくなる。すなわち、反射面５０１に入射する光が導光板４から離れる位置になるほど少なくなり、これに伴って、反射面５０１で反射される光も少なくなる。したがって、照明器具１Ｘは、面状光源２がある端部側（前端側）が、面状光源２と反対側の端部側（後端側）に比べて明るく見える。つまり、面状光源２がない端部側（後端側）が、面状光源２がある端部側（前端側）に比べて暗く見える。また反射面５０１は、面状光源２の導光板４から離れるに連れて徐々に傾斜しているため、照明器具１Ｘの明るさは、導光板４から離れるに連れて徐々に暗くなっていく。すなわち、照明器具１Ｘの明るさは、導光板４に近づくに連れて徐々に明るくなっていく。このように照明器具１Ｘは、前後方向において、グラデーションのように、明るさが徐々に変化するように見える。
【００３９】
また図４に示すように、照明器具１Ｘでは、反射部材５の面状光源２と反対側の端部は、開放面１５から器具本体１の外側に突出している。すなわち、反射部材５の反射部５０の後端部５０２は、面状光源２と反対側にある端部であり、この後端部５０２が開放面１５から器具本体１の外側に突出している。つまり、後端部５０２は開放面１５よりも下側に位置している。これにより、導光板４から出射された光が後端部５０２よりも後方に到達しにくくなり、照明器具１Ｘの後端部５０２よりも後方側が明るく見えにくくなる。したがって、グラデーションのような明るさの変化が強調されやすい。
【００４０】
（照明器具の取り付け）
照明器具１Ｘは、システム天井７０に使用可能である。システム天井７０は、支持バーであるＴバー７１を格子状に組んだ枠組みを、コンクリートスラブ等の建物躯体に吊り下げ、この枠組みに天井パネルや天井用の設備機器を取り付けて形成される。Ｔバー７１は、図３及び図４に示すように、天井板等の周部が載置される長尺平板状の載置部７１１を有する。載置部７１１には短手方向からそれぞれ下方に延設される側片７１２が形成されている。また各側片７１２の下端部には、互いに近接する方向に延設された支持部７１４を有する。支持部７１４の先端縁間には開口部７１３が形成されている。また載置部７１１には上方に向かって連結バー７１５が延設され、この連結バー７１５の上端部には吊下部７１７が形成されている。
【００４１】
Ｔバー７１は、吊下部７１７に支持ハンガー７１８を連結し、支持ハンガー７１８をコンクリートスラブ等の天井下地に取り付けられて垂下された吊りボルト（図示省略）に取り付ける。このようにして天井下地に吊り下げられたＴバー７１を所定間隔でほぼ水平に縦横（前後及び左右）に格子状に連結配置して枠組みが構成される。そして、この枠組みにおいて載置部７１１で囲まれる領域にそれぞれ天井板や照明器具などを配置し、天井板や照明器具などの周部を載置部７１１に載置することで、システム天井７０が構成されている。
【００４２】
照明器具１Ｘにおいては、器具本体１がシステム天井７０を構成するＴバー７１に載せて掛けるフランジ１１２を有する。フランジ１１２は、器具本体１の外周の全周に突出して設けられている。フランジ１１２は各側板１１の外側に突出している。すなわち、フランジ１１２は前側の側板１１５から前方に向いて突出している。またフランジ１１２は後側の側板１１６から後方に向いて突出している。またフランジ１１２は右側の側板１１７から右方に向いて突出している。さらにフランジ１１２は左側の側板１１８から左方に向いて突出している。
【００４３】
そして、照明器具１Ｘはフランジ１１２をＴバー７１に載せて掛けることにより取り付けられる。すなわち、フランジ１１２はＴバー７１の載置部７１１に載せて掛けられる。照明器具１Ｘの４方の周囲にはＴバー７１が存在しているため、器具本体１の４方の外周に突出しているフランジ１１２がそれぞれ載置部７１１に載せて掛けられる。このようにして照明器具１Ｘをシステム天井７０に取り付けることができる。
【００４４】
ここで、フランジ１１２をＴバー７１に載せ掛けた状態において、反射部材５の面状光源２と反対側の端部は、Ｔバー７１の下端よりも下方に突出していることが好ましい。すなわち、図４に示すように、照明器具１Ｘをシステム天井７０に取り付けると、フランジ１１２はＴバー７１の載置部７１１に載せて掛けられた状態となる。そして、この状態において、反射部材５の面状光源２と反対側の端部がＴバー７１の下端よりも下方に位置する。つまり、反射部材５の反射部５０の後端部５０２が、面状光源２と反対側にある端部であり、この後端部５０２がＴバー７１の下端（下面）を構成する支持部７１４よりも下方に位置する。これにより、導光板４から出射された光が後端部５０２よりも後方のＴバー７１までに到達しにくくなる。つまり、照明器具１Ｘの後端部５０２よりも後方側が明るく見えにくくなり、照明器具１Ｘの前側と後側との明るさの差が認識されやすくなり、グラデーションのような明るさの変化が強調されやすい。
【００４５】
照明器具１Ｘは単独又は複数で並べて使用することができる。図７には、照明器具１Ｘと同じ構成を有する照明器具２Ｘ、３Ｘ、４Ｘ、５Ｘを正方形状に並べてシステム天井７０に取り付けた例を示している。この例では、左右方向には照明器具Ｘ２と照明器具Ｘ３が並べられている。また左右方向には照明器具Ｘ４と照明器具Ｘ５が並べられている。照明器具２Ｘと照明器具４Ｘとは前後方向に並べられている。また照明器具３Ｘと照明器具５Ｘとは前後方向に並べられている。ここで、前後方向に並ぶ一対の照明器具（２Ｘと４Ｘ又は３Ｘと５Ｘ）は、面状光源２が前後方向で離れた状態で配置される。すなわち、前後方向に並ぶ一対の照明器具（２Ｘと４Ｘ又は３Ｘと５Ｘ）は、面状光源２が設けられていない方が端部が対向して配置される。このように４つの照明器具２Ｘ〜５Ｘを正方形状に並べることにより、前後方向の両端が明るくて中心部分に向かうに従って徐々に暗くなるように、グラデーションのような明るさが変化する意匠性の高い照明を得ることができる。
【００４６】
（変形例）
実施形態１は、本開示の様々な実施形態の一つに過ぎない。実施形態１は、本開示の目的を達成できれば、設計等に応じて種々の変更が可能である。
【００４７】
図８に、器具本体１が遮光部１４０を有する変形例を示す。遮光部１４０は、面状光源２の開放面１５の方に向く端面と対向している。すなわち、遮光部１４０は、導光板４の下端面４１よりも下方に位置し、下端面４１と対向している。遮光部１４０は前側の側板１１５の下端から開放面１５と平行となるように後方に向かって曲がって形成されている。遮光部１４０は開放面１５とほぼ同じ高さ位置にある。
【００４８】
このような遮光部１４０を有する器具本体１では、導光板４の下端面４１から出射された光が遮光部１４０で遮られやすくなり、器具本体１から前方に向かって光が漏れ出しにくくなる。
【００４９】
図９Ａ及び図９Ｂには、反射面５０１の形状が異なる反射部材５を示している。図１では、反射面５０１は平坦に形成されていたが、図９Ａに示す変形例では、反射面５０１が上向き凸に形成されている。また図９Ｂに示す変形例では、反射面５０１が下向き凸に形成されている。
【００５０】
（まとめ）
以上説明したように、第１の態様に係る照明器具（１Ｘ）は、器具本体（１）と、面状光源（２）と、反射部材（５）とを備える。器具本体（１）は、底板（１０）と、底板（１０）の周囲に位置する複数の側板（１１）とを有して箱形に形成される。底板（１０）と対向する位置に開放面（１５）を有している。面状光源（２）は、複数の側板（１１）のうちの一つの側板（１１５）に沿うように器具本体（１）の内側に配置される。反射部材（５）は、底板（１０）と開放面（１５）との間に配置される。開放面（１５）と対向する面が面状光源（２）から出射される光を開放面（１５）に向けて反射する反射面（５０１）として構成される。反射面（５０１）は、面状光源（２）から離れるに連れて開放面（１５）に近づくように傾斜している。
【００５１】
この態様によれば、面状光源（２）から出射される光が、面状光源（２）から離れるに連れて徐々に反射面（５０１）に到達しにくくなり、反射面（５０１）で反射される光が面状光源（２）の近くから遠くなるにしたがって徐々に少なくなる。よって、面状光源（２）の近くでは明るく光り、面状光源（２）から遠くでは暗くなり、グラデーションのように、明るさが一部分から他の部分へと徐々に変化するように光る、という利点がある。
【００５２】
第２の態様に係る照明器具（１Ｘ）は、第１の態様において、反射部材（５）の面状光源（２）と反対側の端部は、開放面（１５）から器具本体（１）の外側に突出している。
【００５３】
この態様によれば、面状光源（２）から出射された光が、器具本体（１）の面状光源（２）と反対側へと出射されにくくなり、グラデーションのような明るさの変化が損なわれにくくなる、という利点がある。
【００５４】
第３の態様に係る照明器具（１Ｘ）は、第１又は２の態様において、反射面（５０１）が平坦である。
【００５５】
この態様によれば、反射面（５０１）での乱反射を少なくすることができ、グラデーションのような明るさの変化が損なわれにくくなる、という利点がある。
【００５６】
第４の態様に係る照明器具（１Ｘ）は、第１〜３のいずれかの態様において、反射面（５０１）が光を拡散する光拡散面である。
【００５７】
この態様によれば、反射面（５０１）で光を拡散して反射することができ、光が一方向のみの反射されるのを低減し、グラデーションのような明るさの変化が損なわれにくくなる、という利点がある。
【００５８】
第５の態様に係る照明器具（１Ｘ）は、第１〜４のいずれかの態様において、面状光源（２）が、発光ダイオード（３００）と導光板（４）とを備えている。
【００５９】
この態様によれば、発光ダイオード（３００）からの光を導光板（４）に導入した後、導光板（４）から出射することができ、面状光源（２）から反射面（５０１）に出射される光が偏りにくくすることができる、という利点がある。
【００６０】
第６の態様に係る照明器具（１Ｘ）は、第１〜５のいずれかの態様において、器具本体（１）が、システム天井（７０）を構成するＴバー（７１）に載せ掛けるフランジ（１１２）を有する。
【００６１】
この態様によれば、フランジ（１１２）をＴバー（７１）に載せて掛けて照明器具（１Ｘ）を取り付けることができ、システム天井（７０）に照明器具（１Ｘ）を設けて、グラデーションのように明るさが変化する照明を行うことができる、という利点がある。
【００６２】
第７の態様に係る照明器具（１Ｘ）は、第６の態様において、反射部材（５）の面状光源（２）と反対側の端部は、フランジ（１１２）をＴバー（７１）に載せ掛けた状態で、Ｔバー（７１）の下端よりも下方に突出するように構成されている。
【００６３】
この態様によれば、面状光源（２）から出射された光が、Ｔバー（７１）の面状光源（２）と反対側へと出射されにくくなり、グラデーションのような明るさの変化が損なわれにくくなる、という利点がある。
【００６４】
第８の態様に係る照明器具（１Ｘ）は、第１〜７のいずれかの態様において、器具本体（１）は遮光部（１４０）を有する。遮光部（１４０）は、面状光源（２）の開放面（１５）の方に向く端面と対向している。
【００６５】
この態様によれば、面状光源（２）の開放面（１５）の方に向く端面（４１）から出射された光が遮光部（１４０）で遮られやすくなる。よって、面状光源（２）の端面（４１）から反射部材（５）で反射させずに器具本体（１）の外側に出射される光を少なくすることができる。その結果、グラデーションのような明るさの変化が損なわれにくくなる、という利点がある。
【００６６】
第９の態様に係る照明器具（１Ｘ）は、第１〜８のいずれかの態様において、面状光源（２）の開放面（１５）の方に向く端面は、開放面（１５）よりも器具本体（１）の内側にある。
【００６７】
この態様によれば、面状光源（２）の開放面（１５）の方に向く端面（４１）から出射された光が器具本体（１）の側板（１１）で遮られやすくなる。よって、面状光源（２）の端面（４１）から反射部材（５）で反射させずに器具本体（１）の外側に出射される光を少なくすることができる。その結果、グラデーションのような明るさの変化が損なわれにくくなる、という利点がある。
【００６８】
第１０の態様に係る照明器具（１Ｘ）は、第１〜９のいずれかの態様において、面状光源（２）の側板（１１５）に沿う方向の端面（４２，４３）と、端面（４２，４３）と対向する側板（１１７，１１８）との間に隙間（１２０、１２１）を有している。
【００６９】
この態様によれば、面状光源（２）の端面（４２，４３）から出射された光が側板（１１７，１１８）で遮られやすくなる。よって、面状光源（２）の端面（４２，４３）から反射部材（５）で反射させずに器具本体（１）の外側に出射される光を少なくすることができる。その結果、グラデーションのような明るさの変化が損なわれにくくなる、という利点がある。
【符号の説明】
【００７０】
１Ｘ〜５Ｘ  照明器具
１  器具本体
１０  底板
１１  側板
１５  開放面
１１２  フランジ
１１５  側板
１１７  側板
１１８  側板
１２０  隙間
１２１  隙間
１４０  遮光部
２  面状光源
３００  発光ダイオード
４２  端面
４  導光板
４３  端面
４１  端面
５  反射部材
５０１  反射面
７０  システム天井
７１  Ｔバー
【図１】
2020077598.tif 000003
【図２】
2020077598.tif 000004
【図３】
2020077598.tif 000005
【図４】
2020077598.tif 000006
【図５】
2020077598.tif 000007
【図６】
2020077598.tif 000008
【図７】
2020077598.tif 000009
【図８】
2020077598.tif 000010
【図９】
2020077598.tif 000011